(57)【要約】【課題】台所等家庭内に設置することができ、また、市販のごみ袋を利用して家庭内のごみを多量に収容・廃棄でき、悪臭や虫の侵入等衛生上の問題もなく、かつ、安価なごみ収納容器として使用されるごみ袋保持スタンドを提供する。【解決手段】ごみ袋保持スタンドは、ごみ袋の口部が被る大きさの枠体と該枠体から下方に延伸する脚とからなるごみ袋保持スタンド本体と、前記枠体に口部を被せられたごみ袋を挟み込んで枠体にはめ合わされ、断面がＣ字状であって、かつ、長さが該枠体の周長にほぼ等しいシール部材と、該シール部材上面に載置される蓋体と、からなる。【選択図】          図１
2005015161.tif 000002
【特許請求の範囲】
【請求項１】
ごみ袋の口部が被る大きさの枠体と該枠体から下方に延伸する脚とからなるごみ袋保持スタンド本体と、
前記枠体に口部を被せられたごみ袋を挟み込んで枠体にはめ合わされ、断面がＣ字状であって、かつ、長さが該枠体の周長にほぼ等しいシール部材と、
該シール部材上面に載置される蓋体と、からなるごみ袋保持スタンド。
【請求項２】
脚は、枠体の取付部分から下方に末広がりに延伸しその底部が床面に直接設置されるものであることを特徴とする請求項１記載のごみ袋保持スタンド。
【請求項３】
シール部材は弾性体であることを特徴とする請求項１又は２に記載のごみ袋保持スタンド。
【請求項４】
弾性体の素材は、ゴム、シリコンゴム、ビニール、およびゴムスポンジのうちから選んだいずれか１又はこれらの組み合わせであることを特徴とする請求項３記載のごみ袋保持スタンド。
【請求項５】
蓋体は外縁下面にシール部材に係合する凹溝を有することを特徴とする請求項１から４のいずれかに記載のごみ袋保持スタンド。
【請求項６】
蓋体を枠体に引っかけるフックを蓋体裏面に設けたことを特徴とする請求項１から５のいずれかに記載のごみ袋保持スタンド。
【請求項７】
ごみ袋の口部が被る大きさの枠体と該枠体に着脱可能な脚とからなるごみ袋保持スタンド本体組立体と、
前記枠体に口部を被せられたごみ袋を挟み込んで枠体にはめ合わされ、断面がＣ字状であって、かつ、長さが該枠体の周長にほぼ等しいシール部材と、
該シール部材上面に載置される蓋体とからなるごみ袋保持スタンド用組立セット。
【請求項８】
ごみ袋保持スタンド本体組立体の脚は、ほぼその長さの１／２の長さ位置で継ぎ合わせ可能に構成されていることを特徴とする請求項７記載のごみ袋保持スタンド用組立セット。
【発明の詳細な説明】
【０００１】
【発明の属する技術分野】
本発明は、ごみ袋を取り付けてごみ収容容器として使用するごみ袋保持スタンドに関する。
【０００２】
【従来の技術】
家庭内で出されるごみを捨てるに当たっては、一般にごみ袋をポリ容器内に装着し、その中にごみを捨てている。ごみの入ったごみ袋は、適時ポリ容器から取り出されごみ袋ごと廃棄される。しかし、ポリ容器にごみ袋を装着して使用する場合は、廃棄できるごみはポリ容器の形状、大きさ等に制限を受け、ごみ袋に収容されるごみの量は袋内容積の半分程度しか利用できないという問題がある。さらに、ポリ容器からごみ袋を取り出すのが容易でないばかりでなく、しばしばごみ袋が破損して不快感を催すという問題がある。この問題を解決するために、例えば、特許文献１，特許文献２では、ごみの投入・廃棄に当たり、ごみ袋の口を開けて保持したごみ袋保持スタンドを設ける提案がなされている。
【０００３】
【特許文献１】
特開２００２−１５４６０２号公報
【特許文献２】
実開平７−８３０８号公報
【０００４】
【発明が解決しようとする課題】
しかし、このようなごみ袋保持スタンドでは、ごみ投入口が解放されたままであるから残飯等の食物を含むごみを捨てると、悪臭の発生やハエ等の虫が侵入して衛生的でないという問題を生ずる。また、ごみ袋口部は部分的に枠体に固定されているだけであり、市販のごみ袋を使用する場合には該口部が破損し易く、また、ごみ袋が枠体から容易に抜け落ちるという問題がある。
【０００５】
本発明は、かかる従来の問題点に鑑み、家庭の台所等に設置することができ、家庭内で発生するごみを市販のごみ袋内に多量に収容することができ、また、廃棄が容易で、さらに、悪臭や虫の侵入等衛生上の問題もなく、市販のごみ袋をそのままごみ収容容器として使用できるようにするごみ袋保持スタンドを提供することを目的とする。
【０００６】
【課題を解決するための手段】
本発明に係るごみ袋保持スタンドは、ごみ袋の口部が被る大きさの枠体と該枠体から下方に延伸する脚とからなるごみ袋保持スタンド本体と、前記枠体に口部を被せられたごみ袋を挟み込んで枠体にはめ合わされ、断面がＣ字状であって、かつ、長さが該枠体の周長にほぼ等しいシール部材と、該シール部材上面に載置される蓋体と、からなる。
【０００７】
本発明に係るごみ袋保持スタンドにおいて、脚は、枠体の取付部分から下方に末広がりに延伸しその底部が床面に直接設置されるものであるのが好ましい。
【０００８】
シール部材は弾性体であるのが好ましく、特にゴム、シリコンゴム、ビニール、およびゴムスポンジのうちから選んだいずれか１又はこれらの組み合わせであるのが好ましい。
【０００９】
蓋体は、その外縁下面にシール部材に係合する凹溝を有するのが好ましい。
【００１０】
また、蓋体を枠体部に引っかけるフックを設けるのが好ましい。
【００１１】
本ごみ袋保持スタンドの利用においては、ごみ袋の口部が被る大きさの枠体と該枠体から下方に延伸し脱着可能な脚とからなるごみ袋保持スタンド本体と、前記枠体に口部を被せられたごみ袋を挟み込んで枠体にはめ合わされ、断面がＣ字状であって、かつ、長さが該枠体の周長にほぼ等しいシール部材と、該シール部材上面に載置される蓋体とからなるごみ袋保持スタンド用組立セットと、一般に市販されているごみ袋とを用いて、需用者が容易に本発明に係るごみ袋保持スタンドの利用ができるようにするのが好ましい。この場合、ごみ袋保持スタンド本体を構成する脚を脱着可能なものとし、さらに、ほぼその長さの１／２の長さ位置で継ぎ合わせ可能なものとするのが好ましい。
【００１２】
【発明の実施の形態】
以下、図面を参照して本発明を具体的に説明する。図１は本発明の１実施例に係るごみ袋保持スタンド１の分解図であり、図２は本ごみ袋保持スタンド１にごみ袋を装着した状態を示す斜視図である。ごみ袋保持スタンド１は、ごみ袋の口部が被る大きさの枠体３と枠体３から下方に延伸する脚４とからなるごみ袋保持スタンド本体２を有し、ごみ袋の口部を折り返して枠体３に被せ、その上から断面がＣ字状のシール部材１０をその裂け目部１０ａを枠体３に押し付けて枠体３の全周に沿ってはめ合わせる。シール部材１０上面には蓋体２０が載置される。
【００１３】
ごみ袋保持スタンド本体２は、市販のごみ袋に適合するようになっている。すなわち、ごみ袋保持スタンド本体２を構成する枠体３は、その開口面がごみ袋３０の口部の大きさより小さ目とされており、ごみ袋３０を枠体３に取り付けた場合にごみ袋は巾着状に絞られしわがよった状態で枠体３に保持されるようになる。これにより、ごみ袋３０の枠体３からの抜け落ち抵抗力が増し、ごみ袋３０はシール部材１０でより強く枠体３に保持固定される。枠体３の開口面の大きさは、ごみ袋の口部の大きさの３／４程度が好ましい。
【００１４】
脚４は、枠体３の取付部分から下方に末広がりに延伸しその底部が床面に直接設置されるようになっている。これにより、ごみ袋保持スタンド１を設置する場所の自由度が大きくなり狭い台所に置くこともできる。また、ごみ袋３０をごみ袋保持スタンド１から取り外すには、シール部材１０を枠体３から外しごみ袋３０を床上においた状態でごみ袋保持スタンド本体２を上に持ち上げればよいから、ごみを廃棄するのが容易になる。
【００１５】
脚４は、その高さがごみ袋３０の口部を折り返して枠体３に取り付けたとき、ごみ袋３０の高さとほぼ等しいか、もしくはいくらか低くする。これにより、ごみが入ったごみ袋３０は床面により支えられるから、ごみ袋３０自体にごみ全体の重量がかかることがなく、ごみ袋３０の強度は市販の物で十分使用に耐える。
【００１６】
シール部材１０は、その長さが枠体３の周長にほぼ等しく断面がＣ字状をしており、図１に示すように裂け目部１０ａを有する。シール部材１０は断面がＣ字状であるから、その裂け目部１０ａから容易に枠体３にはめ合わせることができる。また、シール部材１０は枠体３の周長にほぼ等しいから、枠体３に被せたごみ袋３０の口部全体を均等かつ強く挟み込むことができ、ごみ袋３０の使用中の抜け落ちや破損を防止することができる。なお、裂け目部１０ａの幅寸法は、使用及び製造上の必要や便宜性を考慮して決めればよい。長手方向にスリットを入れたチューブをシール部材１０として用いることもできる。
【００１７】
本シール部材１０は、弾性体とするのが好ましい。シール部材の裂け目部１０ａを枠体３に押し付けはめ合わせるのに便宜であり、また、その弾性力でごみ袋３０を強く挟み込むことができる。シール部材１０を枠体３にはめ合わせるに際し、シール部材１０の裂け目部１０ａは、蓋体２０が載置される上面にこないようするのが好ましい。これにより、蓋体２０とシール部材１０との機密性が確保され、悪臭の漏れ等を防止することができる。
【００１８】
上記弾性体からなるシール部材１０において、その素材は、ゴム、シリコンゴム、ビニール、およびゴムスポンジのうちから選んだいずれか１又はこれらの組み合わせであるのが好ましい。これにより、シール部材の上面は蓋体２０の重さでわずかに撓んでシール部材１０と蓋体２０の密着度が増し、悪臭の漏れ等をより確実に防止することができる。また、シール部材１０を枠体３に容易にはめ合わせることができ、また、ごみを廃棄する場合に容易に離脱することができる。なお、スポンジゴムとは、例えばウレタン、天然ゴム、あるいは合成ゴムの発泡素材である。
【００１９】
蓋体２０は、枠体３を覆う大きさのものでその縁部がシール部材１０の上面に密接するものであればよい。これにより、悪臭の漏れ等を防止することができる。しかし、より好ましくは、図４（図３のＡ部拡大図）に示すように、蓋体２０の外縁下面にシール部材１０に係合する凹溝２０ａを設けるのがよい。これにより、図３に示すように、ごみ袋３０にごみを入れる際に片手で軽く蓋体２０の縁部Ｂを持ち上げるとその対角側の縁部Ａがちょうど蝶番を開いた状態（一点鎖線部）となり、ごみ捨てを行うのに便宜である。
【００２０】
この例では、蓋体２０の外縁下面に設けられた凹溝２０ａは、枠体３の全周に亘っており、該凹溝２０ａは、その断面の幅が枠体３の外径に比較して相当大きく、深さは浅くなっている。このように構成された状態で、蓋体２０の縁部Ｂを矢印方向に持ち上げたとき、その対角側の凹溝２０ａの内側壁部２０ｂがシール部材１０に係合し、ちょうど蝶番を開いた状態（一点鎖線部）になる。
【００２１】
蓋体２０の素材は特に問わないが、ポリエチレン、ＥＶＡ樹脂、ポリプロピレン、ポリスチレン、ＡＳ樹脂、ＡＢＳ樹脂、塩化ビニール樹脂、塩化ビニリデン樹脂、メタクリル樹脂、メタクリルスチレン樹脂、ポリメチルペンテン、ナイロン、ポリカーボネート、アセタール樹脂等の樹脂である場合は、シール部材１０の素材と相まって良好な係合状態を得ることができる。蓋体２０の素材を、鉄、アルミニウム、ステンレス、ブリキのうちから選ぶときには、蓋体の耐久性が増す利点がある。
【００２２】
上記のごみ袋保持スタンド１により、ごみをごみ袋３０の口部から入れることができるどのような大きさのごみも廃棄できる。また、ごみ袋３０の形状はごみの形に合わせて自由に変形するからポリ容器を使用する場合に比較して、１．５〜２倍の量のごみを収容し廃棄することができ、廃棄できるごみの形状的制約も少ない。本ごみ袋保持スタンド１を設置する場所の自由度が大きく、狭い台所に置くこともできる。さらに、ごみの廃棄は、シール部材１０を枠体３から外し、ごみ袋保持スタンド本体２を持ち上げればよく、ごみ袋３０を容易に、かつ、破損させないで廃棄することができる。枠体３に被せたごみ袋の口部は、ごみ袋３０を廃棄するときに結びしろとして利用することができる。
【００２３】
なお、ごみ袋３０の口部を折り返して枠体３に被せ、シール部材１０で枠体３に固定するに際し、ごみ袋３０の口部は枠体３の内側から外側、または、外側から内側に折り返して枠体３に被すことができる。しかし、一般にごみはごみ袋３０の口部を縛って廃棄されるので、ごみ袋３０の口部がごみで汚れないように、ごみ袋３０の口部は、枠体３の内側から外側に折り返して枠体３に被せるのが好ましい。
【００２４】
本ごみ袋保持スタンド１は、上記のようにごみ袋保持スタンド本体２を一体として製作し、これを組み合わせた構成にすることもできるが、以下に示す分割型のごみ袋保持スタンド本体を組み合わせた組立体として構成にすることもできる。すなわち、ごみ袋保持スタンド本体２の脚４は着脱可能とし、また、脚４はその長さのほぼ１／２の長さ位置で継ぎ合わせ可能のものとするのが好ましい。実施例を図５に示す。脚４は枠体３に螺着され、着脱自在となっており、さらに、脚４はほぼ同等の長さ４Ａ、４Ｂが螺着により継ぎ合わせ可能となっている。これにより、脚４を枠体３に組み付ける前には、ほぼ枠体３の大きさの包装箱に脚４を含め蓋体２０等をコンパクトに収納することができるので、ごみ袋保持スタンド用組立セットとして需用者に供する際に便宜である。
【００２５】
また、図６に示すように、蓋体２０の裏面にフック４０を設け蓋体２０が枠体３に引っかけ保持できるようにするのが好ましい。この例では、フック４０はビス４１により蓋体２０の裏面ほぼ中央部分に取り付けられ、フック４０を枠体３に引っかけることによって、蓋体２０を枠体３につり下げることができるようになっている。これにより、ごみ袋にごみを投げ入れるのが便宜になり、また、蓋体２０の紛失、破損を防止することができる。
【００２６】
本ごみ袋保持スタンド１においては、ごみ袋保持スタンド本体２の枠体３の形状はリング状、楕円状、または方形状でもよいが、リング状のものがごみ保持スタンド１に装着されたごみ袋３０の密閉性を確保するのに好適である。また、リング状のものがシール部材１０の枠体３へのはめ合わせ、取り外し、ごみの投げ入れ等が楽である。脚４は３本又は４本のものを採用できる。
【００２７】
ごみ袋３０は市販のものがごみ収容容器として使用できる。ごみ袋は、３０リットル用とか、４５リットル用とか市販されている所定サイズのものが利用できる。
【００２８】
【発明の効果】
本発明に係るごみ袋保持スタンドは、台所等家庭内に設置することができ、また、市販のごみ袋を利用して家庭内のごみを多量に収容・廃棄でき、悪臭や虫の侵入等衛生上の問題もなく、かつ、安価なごみ収容容器として使用できる。
【図面の簡単な説明】
【図１】本発明に係るごみ袋保持スタンドの分解図である。
【図２】図１のごみ袋保持スタンドにごみ袋を装着した状態を示す斜視図である。
【図３】ごみ袋保持スタンドの蓋体縁部を持ち上げてごみを捨てる場合の状態を示す概略図である。
【図４】図３のＡ部拡大断面図である。
【図５】ごみ袋保持スタンド本体の脚が着脱可能で、さらに、脚がそのほぼ１／２の長さ位置で継ぎ合わせ可能な実施例を示す斜視図である。
【図６】蓋体裏面にフックを設けた実施例を示す斜視図及び部分拡大断面図である。
【符号の説明】
１：ごみ袋保持スタンド
２：ごみ袋保持スタンド本体
３：枠体
４：脚
１０：シール部材
２０：蓋体
３０：ごみ袋
４０：フック
４１：ビス
【図１】
2005015161.tif 000003
【図２】
2005015161.tif 000004
【図３】
2005015161.tif 000005
【図４】
2005015161.tif 000006
【図５】
2005015161.tif 000007
【図６】
2005015161.tif 000008